(57)【要約】【課題】ネジ締付時におけるブラシホルダの回転を防止し、また、ネジ締付時の端子の回転による絶縁性の低下を防止する。【解決手段】スタータモータ１は、ブラケット６と、ブラケット６に取り付けられる給電用ターミナル２７と、ブラケット６内に固定されるブラシホルダ２５を有する。ブラシホルダ２５には、ブラケット６と接続される−側ブラシ２４ａと、給電用ターミナル２７と接続される＋側ブラシ２４ｂが収容される。−側ブラシ２４ａは端子３２ａと接続され、ネジ３３ａにてブラシホルダ２５と共にブラケット６に固定される。＋側ブラシ２４ｂは端子３２ｂと接続され、ネジ３３ｂにて給電用ターミナル２７に固定される。ブラケット６の内周壁３９には突当部４１が突設されており、ネジ３３ａの締め付けによりブラシホルダ２５が回転すると、ブラシホルダ２５の突当面４２と当接し、ブラシホルダ２５の回転が規制される。【選択図】図４
2015133842.tif 000002
【特許請求の範囲】
【請求項１】
金属製のブラケットと、
前記ブラケットに取り付けられる給電用ターミナルと、
前記ブラケット内に収容固定され、前記ブラケットと電気的に接続された第１ブラシと、前記給電用ターミナルと電気的に接続された第２ブラシと、が収容されるブラシホルダと、
前記第１ブラシとピグテールを介して電気的に接続され、前記ブラシホルダと電気的かつ機械的に接続される第１端子と、
前記第１端子と前記ブラシホルダを締結する第１締結部材と、
前記第２ブラシとピグテールを介して電気的に接続され、前記給電用ターミナルと電気的かつ機械的に接続される第２端子と、
前記第２端子と前記給電用ターミナルを締結する第２締結部材と、
を有してなるスタータモータであって、
該スタータモータは、前記ブラシホルダの回転を規制する回転規制部を有することを特徴とするスタータモータ。
【請求項２】
請求項１記載のスタータモータにおいて、
前記回転規制部は、前記ブラケットの内周に形成された突当部と、前記ブラシホルダに形成され前記突当部と周方向に向かって対向する突当面と、を有することを特徴とするスタータモータ。
【請求項３】
請求項１記載のスタータモータにおいて、
前記回転規制部は、前記ブラシホルダの外周に形成された突当部と、前記ブラケットに形成され前記突当部と周方向に向かって対向する突当面と、を有することを特徴とするスタータモータ。
【請求項４】
請求項１記載のスタータモータにおいて、
前記回転規制部は、前記ブラシホルダの底部に形成された突当部と、前記ブラケットに形成され前記突当部と周方向に向かって対向する突当面と、を有することを特徴とするスタータモータ。
【請求項５】
請求項１記載のスタータモータにおいて、
前記回転規制部は、前記ブラケットの底面部に形成された突当部と、前記ブラシホルダに形成され前記突当部と周方向に向かって対向する突当面と、を有することを特徴とするスタータモータ。
【請求項６】
請求項１〜５の何れか１項に記載のスタータモータにおいて、
前記ブラシホルダは、前記第１締結部材を中心として回転し、
前記回転規制部は、前記第１締結部材の締結回転方向への前記ブラシホルダの回転を規制することを特徴とするスタータモータ。
【請求項７】
請求項１〜６の何れか１項に記載のスタータモータにおいて、
前記第２端子と前記ブラケットの内周壁との間に絶縁部を有することを特徴とするスタータモータ。
【請求項８】
請求項７記載のスタータモータにおいて、
前記絶縁部は、前記ブラシホルダと一体に形成され前記第２端子と前記ブラケットの内周壁との間に配置される絶縁壁であることを特徴とするスタータモータ。
【請求項９】
請求項８記載のスタータモータにおいて、
前記絶縁壁は、前記第２締結部材を締結回転方向に回転させ、前記第２締結部材と共に前記第２端子が前記回転方向に回転したとき、前記第２端子と当接することを特徴とするスタータモータ。
【請求項１０】
請求項８記載のスタータモータにおいて、
前記絶縁壁は、前記第２ブラシと接続された前記ピグテールと前記ブラケットの内周壁との間に配置されることを特徴とするスタータモータ。
【請求項１１】
請求項１〜１０の何れか１項に記載のスタータモータにおいて、
前記ブラシホルダは、前記ブラケットに対する該ブラシホルダの取り付け位置を規定する位置決め部を有することを特徴とするスタータモータ。
【請求項１２】
請求項１〜１１の何れか１項に記載のスタータモータにおいて、
前記ブラシホルダは、前記第１及び第２ブラシを略９０°間隔で配置できる中心角１８０°未満の略扇形状に形成されると共に、前記第１ブラシが収容される第１ブラシ収容部と、前記第２ブラシが収容される第２ブラシ収容部とを備え、
前記第１締結部材の取り付け位置と前記第１ブラシ収容部との間の距離と、前記第２締結部材の取り付け位置と前記第２ブラシ収容部との間の距離が略等しいことを特徴とするスタータモータ。
【請求項１３】
請求項１２記載のスタータモータにおいて、
前記第２ブラシ収容部は、前記第１締結部材と前記第２締結部材との間に配置され、
前記第１端子は、前記第２ブラシ収容部と前記第１ブラシ収容部の間に配置されることを特徴とするスタータモータ。
【発明の詳細な説明】
【技術分野】
【０００１】
本発明は、自動車等のエンジン始動用に取り付けられるスタータモータに関し、特に、排気量２００ｃｃ以下クラスの自動二輪車に使用して好適なスタータモータに関する。
【背景技術】
【０００２】
近年、自動二輪車では、排気量の小さい小型車においても、エンジン始動に際し、スタータモータによって始動動作を行うものが多くなっている。このようなスタータモータのうち、例えば、排気量２００ｃｃ以下クラスの自動二輪車に使用されるものは、２極１０〜１２スロットの重ね巻アーマチュア仕様がグローバルで一般的となっている。
【０００３】
ところが、このような重ね巻仕様のスタータモータは、巻線機の汎用性は高いものの、各スロットへの巻線順が常に隣接スロットとなるため、巻き始めから巻き終りまでコアスロットの面積を有効に使えないという課題がある。この場合、巻線の占積率向上のため、細線を２重に重ね巻きする手段もあるが、巻線時間が２倍となってしまい、生産性を阻害する要因となる。また、２極・重ね巻仕様の場合、ブラシが１８０°対向する形で配置されるため、モータ組み付け時のスプリングの処理等、ブラケットにアーマチュアを組み付ける際の作業性にも課題があった。
【０００４】
そこで、上述のような課題を解決すべく、本出願人は、マグネットを４極化すると共に、コイルを波巻仕様とし、マグネットの薄肉化やコイル占積率の向上を図ったスタータモータを提案した（特許文献２）。特許文献２のスタータモータでは、４極化に伴ってブラシを９０°間隔にて配置することが可能となり、ブラシの組み付け性が向上すると共に、この配置変更により、ブラシホルダの小型化が図られている。また、従来、ブラシホルダを２本のネジにてブラケットに固定していた構造を改め、１本のネジでブラシホルダを固定する構造とすることにより、部品点数の削減も図られている。さらに、特許文献２のスタータモータにおいては、給電用のターミナルを圧入固定として部品点数の削減を図ると共に、ターミナルとブラシのピグテールとの間の接続を、従来のスポット溶接に代えてネジ止めとすることにより、ターミナル取付時の作業性も改善させている。
【先行技術文献】
【特許文献】
【０００５】
【特許文献１】特開２０１０-１３６５００号公報
【特許文献２】特願２０１２-２８１８８８号
【発明の概要】
【発明が解決しようとする課題】
【０００６】
しかしながら、特許文献２のスタータモータのように、ブラシホルダを小型化し、ネジ１本でそれをブラケットに固定する構造とすると、ネジの締め付けに伴い、ブラシホルダがネジと共に回転してしまうおそれがある。ブラシホルダが回転すると、ブラシホルダの位置が定まらず、ブラシホルダを所定の状態に位置決めできないという問題が生じる。また、給電用ターミナルとピグテールとの間の接続をネジ止めとしたことにより、ネジの締め付けに伴ってピグテール側の端子が回転してしまうおそれがあった。この場合、ピグテール側端子が回転しブラケットに接触すると、端子の絶縁性が損なわれるという問題があり、その対策が求められていた。
【０００７】
本発明の目的は、ネジ締付時におけるブラシホルダの回転を防止し、ブラシホルダを所定の状態に容易かつ確実に位置決め可能なスタータモータを提供することにある。また、本発明の他の目的は、ネジ締付時の端子の回転による絶縁性の低下を防止し、製品信頼性の向上を図ることにある。
【課題を解決するための手段】
【０００８】
本発明のスタータモータは、金属製のブラケットと、前記ブラケットに取り付けられる給電用ターミナルと、前記ブラケット内に収容固定され、前記ブラケットと電気的に接続された第１ブラシと、前記給電用ターミナルと電気的に接続された第２ブラシと、が収容されるブラシホルダと、前記第１ブラシとピグテールを介して電気的に接続され、前記ブラシホルダと電気的かつ機械的に接続される第１端子と、前記第１端子と前記ブラシホルダを締結する第１締結部材と、前記第２ブラシとピグテールを介して電気的に接続され、前記給電用ターミナルと電気的かつ機械的に接続される第２端子と、前記第２端子と前記給電用ターミナルを締結する第２締結部材と、を有してなるスタータモータであって、該スタータモータは、前記ブラシホルダの回転を規制する回転規制部を有することを特徴とする。
【０００９】
本発明のスタータモータにあっては、ブラケット内に収容固定されるブラシホルダの回転移動が回転規制部によって抑えられる。このため、特別な治具等を使用したり、別の部品を追加したりすることなく、ブラシホルダはブラケットの所定位置に所定の状態で位置決めされる。
【００１０】
前記スタータモータにおいて、前記回転規制部として、前記ブラケットの内周に形成された突当部と、前記ブラシホルダに形成され前記突当部と周方向に向かって対向する突当面と、を設けても良い。また、前記回転規制部として、前記ブラシホルダの外周に形成された突当部と、前記ブラケットに形成され前記突当部と周方向に向かって対向する突当面と、を設けても良い。さらに、前記回転規制部として、前記ブラシホルダの底部に形成された突当部と、前記ブラケットに形成され前記突当部と周方向に向かって対向する突当面、を設けても良い。加えて、前記回転規制部として、前記ブラケットの底面部に形成された突当部と、前記ブラシホルダに形成され前記突当部と周方向に向かって対向する突当面と、を設けても良い。前記スタータモータにおいて、前記ブラシホルダは、前記第１締結部材を中心として回転し、前記回転規制部は、前記第１締結部材の締結回転方向への前記ブラシホルダの回転を規制するようにしても良い。
【００１１】
一方、前記スタータモータにおいて、前記第２端子と前記ブラケットの内周壁との間に絶縁部を設けても良い。これにより、第２端子とブラケットの間が絶縁され、第２端子とブラケットの短絡を防止でき、製品信頼性の向上が図られる。この場合、前記絶縁部として、前記ブラシホルダと一体に形成され前記第２端子と前記ブラケットの内周壁との間に配置される絶縁壁を設けても良い。また、前記第２締結部材を締結回転方向に回転させ、前記第２締結部材と共に前記第２端子が前記回転方向に回転したとき、前記第２端子が前記絶縁壁と当接するようにしても良く、これにより、第２端子が回り止めされる。さらに、前記絶縁壁を、前記第２ブラシと接続された前記ピグテールと前記ブラケットの内周壁との間に配置しても良く、これにより、第２ブラシのピグテールとブラケットの間が絶縁され、ピグテールとブラケットの間の短絡を防止でき、製品信頼性の向上が図られる。
【００１２】
また、前記ブラシホルダに、前記ブラケットに対する該ブラシホルダの取り付け位置を規定する位置決め部を設けても良い。この場合、前記ブラシホルダを周方向に延設して前記位置決め部を設けても良い。
【００１３】
さらに、前記スタータモータにおいて、前記ブラシホルダを、前記第１及び第２ブラシを略９０°間隔で配置できる中心角１８０°未満の略扇形状に形成すると共に、前記ブラシホルダに、前記第１ブラシが収容される第１ブラシ収容部と、前記第２ブラシが収容される第２ブラシ収容部とを設け、前記第１締結部材の取り付け位置と前記第１ブラシ収容部との間の距離と、前記第２締結部材の取り付け位置と前記第２ブラシ収容部との間の距離を略等しく設定しても良い。この場合、前記第２ブラシ収容部を、前記第１締結部材と前記第２締結部材との間に配置し、前記第１端子を、前記第２ブラシ収容部と前記第１ブラシ収容部の間に配置するようにしても良い。
【発明の効果】
【００１４】
本発明のスタータモータによれば、ブラケットと、該ブラケット内に収容固定されるブラシホルダと、を有してなるスタータモータに、ブラシホルダの回転を規制する回転規制部を設けたので、ブラシホルダの回転移動を回転規制部によって抑えることが可能となる。このため、特別な治具等を使用したり、別の部品を追加したりすることなく、ブラシホルダはブラケットの所定位置に所定の状態で位置決めすることが可能となる。従って、簡単かつ確実にブラシホルダをブラケットに位置決め固定でき、部品点数や組付工数の削減を図ることが可能となる。
【００１５】
また、給電用ターミナルと接続された第２ブラシとブラケットの内周壁との間に絶縁部を設けることにより、第２端子とブラケットの間が絶縁され、第２端子とブラケットの短絡を防止することが可能となる。この場合、絶縁部として、第２端子とブラケットの内周壁との間に配置される絶縁壁を設け、第２締結部材を締結回転方向に回転させたとき、第２端子が絶縁壁に当接するように該絶縁壁を配置することにより、第２端子の回り止めを行うことができる。
【図面の簡単な説明】
【００１６】
【図１】本発明の一実施の形態であるスタータモータの構成を示す断面図である。
【図２】アーマチュアコアを軸方向から見た側面図である。
【図３】アーマチュアコイルの巻線仕様を示す説明図である。
【図４】ブラシの配置状態を示す説明図である。
【図５】図１のスタータモータに使用されているブラシホルダの構成を示す説明図である。
【図６】従来のブラシホルダの構成を示す説明図である。
【図７】図１のスタータモータに使用されているブラケットの構成を示す説明図である。
【図８】端子の回り止め・絶縁構造を示す説明図である。
【図９】ブラシホルダの回転規制部の変形例を示す説明図である。
【図１０】ブラシホルダの変形例を示す説明図である。
【発明を実施するための形態】
【００１７】
以下、本発明の実施形態を図面に基づいて詳細に説明する。図１は、本発明の一実施の形態であるスタータモータ１（以下、モータ１と略記する）の構成を示す断面図である。モータ１は、二輪車用、特に、排気量２００ｃｃ以下の自動二輪車のエンジンスタータとして使用される。モータ１は、有底円筒形状のヨーク２を有するステータ３と、ステータ３内に回転自在に取り付けられたアーマチュア４を有するロータ５と、を備えている。ヨーク２の開口端（図中左端部）には、アルミダイカスト製のブラケット６が取り付けられている。ヨーク２の内周面には、周方向に沿って２対４個のマグネット（界磁永久磁極）７が固定されている。マグネット７により、モータ１は４極構成となっている。
【００１８】
アーマチュア４は、アーマチュアコア１１と、アーマチュアコア１１に巻装されたアーマチュアコイル１２とを有している。アーマチュアコア１１は、金属製のコアプレート１３を複数枚積層して形成されている。コアプレート１３は、アーマチュアシャフト１４に固定されている。アーマチュアシャフト１４の図中右端部は、ヨーク２に取り付けられた軸受１５によって回転自在に支持されている。アーマチュアシャフト１４の図中右端部は、ブラケット６に取り付けられた軸受１６によって回転自在に支持されている。モータ１では、軸受１５には焼結軸受が、軸受１６にはボールベアリングが使用されている。
【００１９】
図２は、アーマチュアコア１１を軸方向から見た側面図である。図２に示すように、アーマチュアコア１１の外周には、ティース１７が突設されている。隣接するティース１７の間は、スロット１８となっている。モータ１では、ティース１７及びスロット１８は１３個設けられている。ティース１７には、アーマチュアコイル１２が波巻にて巻装されており、アーマチュアコイル１２は各スロット１８内に収容される。すなわち、モータ１は、４極１３スロット（４Ｐ１３Ｓ）の波巻仕様となっている。
【００２０】
アーマチュアコア１１の一端側には、コンミテータ１９が隣接して配置されている。コンミテータ１９は、アーマチュアシャフト１４に外嵌固定されている。コンミテータ１９は、合成樹脂製のボディ部２１と、複数枚の金属製セグメント２２とを備えている。セグメント２２は、ボディ部２１の外周面に固定されている。セグメント２２は、銅板等の導電材にて形成され、互いに電気的に絶縁されている。各セグメント２２のアーマチュアコア１１側の端部には、ライザ２３が形成されている。ライザ２３には、アーマチュアコイル１２が巻回され、フュージングにより固定されている。
【００２１】
図３は、アーマチュアコイル１２の巻線仕様を示す説明図である。図３に示すように、アーマチュアコイル１２においては、例えば、巻線Ｗは、７番セグメント２２ａから、５番ティース１７ａと６番ティース１７ｂの間のスロット１８ａと、２番ティース１７ｃと３番ティース１７ｄの間のスロット１８ｂとの間に巻装され、１番セグメント２２ｂに結線される。次に、１番セグメント２２ｂから、１２番ティース１７ｅと１３番ティース１７ｆの間のスロット１８ｃと、９番ティース１７ｇと１０番ティース１７ｈの間のスロット１８ｄとの間に巻装され、８番セグメント２２ｃに結線される。つまり、アーマチュアコイル１２の各スロット１８への巻線順は、隣接したスロットとはならず、スロット１８ａの次は約１８０°対向した位置にあるスロット１８ｃとなる。
【００２２】
コンミテータ１９には、ブラシ２４（−側２４ａ：第１ブラシ；＋側２４ｂ：第２ブラシ）が摺接している。図４は、ブラシ２４の配置状態を示す説明図である。モータ１では、図４に示すように、ブラシ２４は２個設けられており、２つのブラシ２４ａ,２４ｂは、周方向に９０°離れて配置されている。ブラシ２４は、ブラケット６に設けられたブラシホルダ２５に収容されている。ブラシホルダ２５には、各ブラシ２４が出没自在に取り付けられる。ブラシ２４はブラシスプリング２６によってコンミテータ１９に押接されている。
【００２３】
各ブラシ２４には、ピグテール３１（３１ａ,３１ｂ）の一端側が取り付けられている。ピグテール３１の他端側には、端子３２（３２ａ：第１端子；３２ｂ：第２端子）が取り付けられている。モータ１では、＋側と−側で同じブラシユニット（ブラシ２４・ピグテール３１・端子３２）が使用されている。ブラシ２４ａ側の端子３２ａは、１本のネジ３３ａによって、ブラシホルダ２５と共にブラケット６に固定される。ブラシ２４ｂ側の端子３２ｂは、ネジ３３ｂによって給電用ターミナル２７に固定される。給電用ターミナル２７は、図示しない電源と電気的に接続されており、コンミテータ１９には、ブラシ２４を介して外部電源から電力が供給される。
【００２４】
また、界磁の４極化により、モータ１では、ブラシ２４（−側２４ａ；＋側２４ｂ）を図４のように９０°間隔で配置することが可能となる。図４は、ブラシ２４の配置状態を示す説明図である。図４に示すように、モータ１のブラシホルダ２５は、２個のブラシ２４を９０°間隔で配置できれば足りることから、ブラシホルダ２５は、図５（ａ）に示したように、周方向の幅θｗ（中心角）が１８０°未満（ここでは、約１２０°）の扇形となっている。図６は従来のブラシホルダ１０１の構成を示す説明図であり、図６から分かるように、当該ブラシホルダ２５は、従来のリング状（３６０°）のブラシホルダ１０１に比して大幅な小型化が図られている。また、＋側ブラシ２４ａと給電用ターミナル２７との間の距離と、−側ブラシ２４ｂと固定用のネジ３３ｂ（接地部）との間の距離をほぼ同じに設定できるため、＋側と−側で同じブラシユニットを使用することができ、部品の共用化を図り、部品の種類を削減することが可能となる。
【００２５】
一方、ブラシホルダ２５を小型化し、それを１本のネジ３３ａによってブラケット６に固定する構造を採用すると、前述のように、ネジの締め付けに伴い、ブラシホルダ２５がネジ３３ａと共に回転してしまい、ブラシホルダ２５の位置決めを行うことができない。そこで、当該モータ１では、ブラシホルダ２５とブラケット６との間に回転規制部３４を設け、ブラシホルダ２５の回転方向の移動を規制し、その位置決めを行っている。
【００２６】
図７はブラケット６の構成を示す説明図である。図７に示すように、ブラケット６の底面部３５には、ブラシホルダ２５を取り付ける部位にホルダ取付ボス３６が突設されている。ホルダ取付ボス３６には、ネジ３３ａが螺入されるネジ取付孔３７が形成されている。一方、ブラシホルダ２５には、ホルダ取付ボス３６に対応して、それが挿入嵌合可能なボス嵌合孔３８が形成されている。ブラシホルダ２５は、ボス嵌合孔３８をホルダ取付ボス３６に挿入嵌合させる形でブラケット６の底面部３５に取り付けられる。
【００２７】
ブラケット６の円筒状の内周壁３９には、径方向（中心方向）に向かって突当部４１が突設されている。これに対し、ブラシホルダ２５の一端側には、ブラシホルダ２５のボス嵌合孔３８をホルダ取付ボス３６に挿入嵌合させたとき、先の突当部４１と周方向に向かって対向する突当面４２が設けられている。回転規制部３４は、これらの突当部４１と突当面４２から構成されている。
【００２８】
ブラシホルダ２５をブラケット６に固定する際、ネジ３３ａを端子３２ａと共に取り付け、ネジ取付孔３７に締め付けると、その締め付けトルクによってブラシホルダ２５が右回りに回転する可能性がある。このとき、ブラシホルダ２５の回転を規制する手段が存在しないと、前述のように、ブラシホルダ２５が回転してしまい、その位置が定まらない。これに対し、当該モータ１では、ボス嵌合孔３８をホルダ取付ボス３６に挿入嵌合させ、ブラシホルダ２５をブラケット６の所定位置に配すると、回転規制部３４の突当部４１と突当面４２が対向する。そして、ネジ３３ａの締め付けに伴ってブラシホルダ２５が右方向に回転すると、突当面４２が突当部４１に当接し、ブラシホルダ２５の回転が規制される。
【００２９】
このように突当面４２が突当部４１に当接すると、ブラシホルダ２５は、ネジ３３ａを締め付けてもそれ以上は回転しない。すなわち、ブラシホルダ２５は、回転規制部３４によってブラケット６の所定位置に所定の状態で位置決めされ、ネジ３３ａによって固定される。従って、特別な治具等を使用したり、別の部品を追加したりすることなく、簡単かつ確実にブラシホルダ２５をブラケット６に位置決め固定でき、部品点数や組付工数の削減を図ることが可能となる。
【００３０】
また、図５に示すように、ブラシホルダ２５のブラシ２４ｂ側の端部には、三方を壁に囲まれた端子配置部４３が形成されている。端子配置部４３には、底壁部４４と側壁部（絶縁壁）４５が設けられており、端子配置部４３は、底壁部４４と、側壁部４５及びブラシ収容部４６の側壁４７によって三方が囲まれている。側壁部４５は、ブラシ収容部４６の上面４８よりも上に突出する形で形成されている。側壁部４５の周方向端部には、切欠部４９が設けられており、切欠部４９の端面が前述の突当面４２となっている。端子配置部４３には、ピグテール３１ｂと、端子３２ｂのワイヤ接続部５０が配置される。
【００３１】
前述のように、端子３２ｂは、ネジ３３ｂによって給電用ターミナル２７に固定される。端子３２ｂを給電用ターミナル２７に固定する際、ネジ３３ｂを締め付けると、その締め付けトルクによって端子３２ｂが右回りに回転する可能性がある。このとき、端子３２ｂの回転を規制する手段が存在しないと、端子３２ｂがブラケット６の内周壁３９に当接するおそれがある。ブラケット６はアルミダイカストにて形成されており、端子３２ｂがその内周壁３９に接触すると、電気系統の絶縁性が損なわれかねない。
【００３２】
これに対し、当該モータ１では、端子３２ｂのワイヤ接続部５０が端子配置部４３内に収容されており、たとえネジ締めによって端子３２ｂが右回りに回転しても、ワイヤ接続部５０は側壁部４５に当接する。すなわち、端子３２ｂが回転しても、側壁部４５によって回転が規制され、内周壁３９との当接は生じない。また、側壁部４５は合成樹脂にて形成されており、端子３２ｂとブラケット内周壁３９との間に介設される。このため、端子３２ｂとブラケット６との間の絶縁性も確保される。さらに、ブラシホルダ２５では、側壁部４５がブラシ収容部４６ｂ（第２ブラシ収容部）から上に突出して設けられているため、ピグテール３１ｂとブラケット６との間の絶縁性も確保される。
【００３３】
このように、モータ１では、ブラシホルダ２５の端部に側壁部４５を設け、この側壁部４５によって端子３２ｂの回転を規制する。側壁部４５は絶縁体（合成樹脂）にて形成されていることから、端子３２ｂの回り止めと共に、端子・ブラケット間の絶縁部としても機能する。従って、別の部品を追加することなく、簡単かつ確実に端子３２ｂの回り止めと絶縁を行うことができ、部品点数や組付工数の削減を図ることが可能となる。また、側壁部４５は、端子３２ｂ自体が内周壁３９側に移動することも規制している。その結果、端子３２ｂとネジ３３ｂにて接続された給電用ターミナル２７もまた、長手方向（装置内外方向）への移動が規制され、給電用ターミナル２７の抜け止め防止が図られる。
【００３４】
本発明は前述のような実施形態に限定されるものではなく、その要旨を逸脱しない範囲で種々変更可能であることは言うまでもない。
例えば、前述の実施形態では、回転規制部３４として突当部４１と突当面４２を設けた構成を示したが、ブラシホルダ２５の回転を規制する手段はこれには限定されず、図９（ａ）〜（ｃ）のような構成を採用しても良い。図９（ａ）は、前述のモータ１とは凹凸関係を逆にしたものであり、ブラシホルダ２５に突当部５１を突設し、これをブラケット６側の突当面５２に当接させている。図９（ｂ）は、ブラシホルダ２５の底部に突当部５３を突設し、これをブラケット６の底面部３５に設けた凹部５４の突当面５５に当接させている。なお、図９（ｂ）の場合も、凹凸関係を逆にして、ブラケット６の底面部３５に凸部を設け、これをブラシホルダ２５の底部に設けた凹部に嵌合させても良い。また、図９（ｃ）のように、ブラケット６の底面部３５に突当部５６を突設する一方、ブラシホルダ２５に凹部は形成せず、ブラシホルダ２５の右端部を突当面５７としても良い。
【００３５】
また、図１０に示すように、ブラシホルダ２５のブラシ２４ａ側の端部に、さらに位置決め部６２を設けても良い。図１０のブラシホルダ６１では、位置決め部６２が周方向に沿って突設されている。位置決め部６２は、前述のブラシホルダ２５における端子配置部４３の底壁部４４のような形で、ブラシ収容部４６ａ（第１ブラシ収容部）の下部から扇形に延設されている。ブラケット６の底面部３５には、この位置決め部６２に対応して当接部６３が設けられている。ブラシホルダ２５をブラケット６の所定位置に配すると、位置決め部６２の端部が当接部６３に対向する。
【００３６】
ここで、前記ブラシホルダ２５の外周部とブラケット６の内周壁３９との間には、若干の隙間がある。このため、ブラシホルダ２５をブラケット６内に取り付ける際、前述の隙間により、ブラシホルダ２５の取り付け位置が径方向にずれる可能性がある。そこで、図１０のブラシホルダ６１では、ホルダの左端側に、ブラシホルダ６１の取り付け位置を規定する位置決め部６２を設け、これをブラケット６の当接部６３と対向させている。これにより、ブラシホルダ６１を取り付ける際に、位置決め部６２が当接部６３に当接し、ブラシホルダ６１の径方向への移動が規制され、ブラシホルダ６１が所定の位置に位置決めされ誤組み付けの防止が図られる。
【符号の説明】
【００３７】
１    スタータモータ
２    ヨーク
３    ステータ
４    アーマチュア
５    ロータ
６    ブラケット
７    マグネット
１１    アーマチュアコア
１２    アーマチュアコイル
１３    コアプレート
１４    アーマチュアシャフト
１５    軸受
１６    軸受
１７    ティース
１７ａ  ５番ティース
１７ｂ  ６番ティース
１７ｃ  ２番ティース
１７ｄ  ３番ティース
１７ｅ  １２番ティース
１７ｆ  １３番ティース
１７ｇ  ９番ティース
１７ｈ  １０番ティース
１８    スロット
１８ａ  ５番ティースと６番ティースの間のスロット
１８ｂ  ２番ティースと３番ティースの間のスロット
１８ｃ  １２番ティースと１３番ティースの間のスロット
１８ｄ  ９番ティースと１０番ティースの間のスロット
１９    コンミテータ
２１    ボディ部
２２    セグメント
２２ａ  ７番セグメント
２２ｂ  １番セグメント
２２ｃ  ８番セグメント
２３    ライザ
２４    ブラシ
２４ａ  −側ブラシ（第１ブラシ）
２４ｂ  ＋側ブラシ（第２ブラシ）
２５    ブラシホルダ
２６    ブラシスプリング
２７    給電用ターミナル
３１    ピグテール
３１ａ  −側ピグテール
３１ｂ  ＋側ピグテール
３２    端子
３２ａ  −側端子（第１端子）
３２ｂ  ＋側端子（第２端子）
３３ａ  −側ネジ（第１締結部材）
３３ｂ  ＋側ネジ（第２締結部材）
３４    回転規制部
３５    底面部
３６    ホルダ取付ボス
３７    ネジ取付孔
３８    ボス嵌合孔
３９    内周壁
４１    突当部
４２    突当面
４３    端子配置部
４４    底壁部
４５    側壁部（絶縁壁，絶縁部）
４６    ブラシ収容部
４６ａ  −側ブラシ収容部（第１ブラシ収容部）
４６ｂ  ＋側ブラシ収容部（第２ブラシ収容部）
４７    側壁
４８    上面
４９    切欠部
５０    ワイヤ接続部
５１    突当部
５２    突当面
５３    突当部
５４    凹部
５５    突当面
５６    突当部
５７    突当面
６１    ブラシホルダ
６２    位置決め部
６３    当接部
１０１  ブラシホルダ
Ｗ      巻線
【図１】
2015133842.tif 000003
【図２】
2015133842.tif 000004
【図３】
2015133842.tif 000005
【図４】
2015133842.tif 000006
【図５】
2015133842.tif 000007
【図６】
2015133842.tif 000008
【図７】
2015133842.tif 000009
【図８】
2015133842.tif 000010
【図９】
2015133842.tif 000011
【図１０】
2015133842.tif 000012